(57)【要約】【課題】リサイクル資源として再利用可能で開梱後のごみ廃棄量を低減可能なパネル部材の梱包部材及びそれを備えたパネル部材の梱包構造を提供する。【解決手段】太陽電池パネルＰの端部を保持する複数の保持溝３３を有し、梱包ケース２０内の一方側と他方側とに、互いの上記保持溝３３が対向するように配置されて太陽電池パネルＰを縦姿勢で保持する保持ブロック３０Ａ，３０Ｂは、厚紙が蛇腹状に折り重ねられて、山折り部３６と谷折り部３７とが交互に複数形成された蛇腹部３４と、蛇腹部３４に対する延長部分である厚紙の他部分によって形成され、蛇腹部３４に巻き付けられて蛇腹部３４を収縮状態に保持する巻回部３５と、を有し、蛇腹部３４の各山折り部３６に形成された折目に交差するスリット３８によって複数の保持溝３３が形成された支持ブロック３１Ａ，３１Ｂを含む。【選択図】図３
2019112100.tif 000002
【特許請求の範囲】
【請求項１】
パネル部材の端部を保持する複数の保持溝を有し、箱内の一方側と他方側とに、互いの上記保持溝が対向するようにそれぞれ配置されて上記パネル部材を縦姿勢で保持するパネル保持部材であって、
厚紙が蛇腹状に折り重ねられて、山折り部と谷折り部とが交互に複数形成された蛇腹部と、
上記蛇腹部に対する延長部分である上記厚紙の他部分によって形成され、上記蛇腹部に巻き付けられて該蛇腹部を収縮状態に保持する巻回部と、を有し、
上記蛇腹部の各山折り部に形成された折目に交差するスリットによって上記複数の保持溝が形成された支持部材を含む
パネル保持部材。
【請求項２】
請求項１において、
上記各保持溝の内面に沿う凹凸状に折り曲げられた厚紙によって形成され、各凹部が上記各保持溝に嵌り込むように上記支持部材に取り付けられて該各保持溝の内面を覆うカバー部材を含む
パネル保持部材。
【請求項３】
請求項２において、
上記支持部材の上記各保持溝は、溝上部から溝底部へ向かって徐々に溝幅が狭まるテーパ形状に形成されている
パネル保持部材。
【請求項４】
請求項３において、
上記カバー部材の凹凸高さは、上記各保持溝の溝深さよりも高い
パネル保持部材。
【請求項５】
請求項２乃至４のいずれか１つにおいて、
上記巻回部を形成する上記厚紙の延長部分は、上記蛇腹部を形成する上記厚紙と同じ幅の矩形状に形成され、上記各保持溝に対応する位置に複数のスリットが形成されている
パネル保持部材。
【請求項６】
請求項５において、
上記巻回部は、上記複数のスリットによって上記各保持溝の溝上部と一端部とを開口させる一方、上記各保持溝の他端部を閉塞する閉塞部分を有し、
上記カバー部材は、自身の端縁を、上記各保持溝内において上記各閉塞部分に当接するように設けられている
パネル保持部材。
【請求項７】
請求項６において、
上記巻回部は、上記各閉塞部分に連続して上記各保持溝の溝上部から溝上方に延びる延長部分を有している
パネル保持部材。
【請求項８】
請求項２乃至７のいずれか１つにおいて、
上記支持部材を構成する厚紙は、上記カバー部材を構成する厚紙よりも分厚い
パネル保持部材。
【請求項９】
請求項２乃至８のいずれか１つにおいて、
上記カバー部材を構成する上記厚紙は、段ボールである
パネル保持部材。
【請求項１０】
請求項１乃至９のいずれか１つにおいて、
上記支持部材を構成する上記厚紙は、段ボールである
パネル保持部材。
【請求項１１】
請求項１乃至１０のいずれか１つにおいて、
上記支持部材には、複数且つ奇数の上記保持溝が等間隔に形成されている
パネル保持部材。
【請求項１２】
パネル部材を縦姿勢で梱包するパネル部材の梱包構造であって、
厚紙によって構成された箱と、
上記パネル部材の端部を保持する複数の保持溝を有し、上記箱内の一方側と他方側とに、互いの上記保持溝が対向するようにそれぞれ配置されて上記パネル部材を上記箱内において縦姿勢で保持する一対のパネル保持部材とを含み、
上記各パネル保持部材は、請求項１乃至１１のいずれか１つに記載のパネル保持部材である
パネル部材の梱包構造。
【請求項１３】
請求項１２において、
上記一対のパネル保持部材を２組備えている
パネル部材の梱包構造。
【請求項１４】
請求項１３において、
上記４つのパネル保持部材は、上記箱内の四隅に１つずつ配置されている
パネル部材の梱包構造。
【発明の詳細な説明】
【技術分野】
【０００１】
本発明は、パネル保持部材及びそれを備えたパネル部材の梱包構造に関するものである。
【背景技術】
【０００２】
従来、太陽電池パネルのような破損し易いパネル部材を、専用の梱包ケース内に縦姿勢で梱包するパネル部材の梱包構造が提案されている（下記の特許文献１を参照）。
【０００３】
従来の梱包構造では、段ボール製の梱包ケースの左右両端部に、コ字状に折り曲げた段ボールにクッション材を接着させたサイドブロックが配置される。そして、表面同士を上下逆さに重ねた２枚の太陽電池パネル（パネル組）を包装用クッションシートで包み込みつつ、そのパネル組の左右の辺部を段ボール製の端面保護部材で押さえ、それを梱包ケース内の一対のサイドブロックの間に２組挿入することで、４枚の太陽電池パネルが縦姿勢で梱包ケース内に梱包されていた。
【先行技術文献】
【特許文献】
【０００４】
【特許文献１】特開２０１６−１３２４９９号公報
【発明の概要】
【発明が解決しようとする課題】
【０００５】
しかしながら、このような梱包構造では、段ボールに発泡材を接着したサイドブロックまたはクッションシートを梱包部材として用いているため、開梱後に梱包部材をリサイクル資源として再利用できず、また、開梱後に廃棄するごみの量が多いという問題があった。
【０００６】
本発明は、かかる点に鑑みてなされたものであり、その目的は、リサイクル資源として再利用可能で開梱後のごみ廃棄量を低減可能なパネル部材の梱包部材及びそれを備えたパネル部材の梱包構造を提供することにある。
【課題を解決するための手段】
【０００７】
本発明は、パネル部材の端部を保持する複数の保持溝を有し、箱内の一方側と他方側とに、互いの上記保持溝が対向するようにそれぞれ配置されて上記パネル部材を縦姿勢で保持するパネル保持部材であって、厚紙が蛇腹状に折り重ねられて、山折り部と谷折り部とが交互に複数形成された蛇腹部と、上記蛇腹部に対する延長部分である上記厚紙の他部分によって形成され、上記蛇腹部に巻き付けられて該蛇腹部を収縮状態に保持する巻回部と、を有し、上記蛇腹部の各山折り部に形成された折目に交差するスリットによって上記複数の保持溝が形成された支持部材を含むものである。
【０００８】
また、他の発明は、パネル部材を縦姿勢で梱包するパネル部材の梱包構造であって、厚紙によって構成された箱と、上記パネル部材の端部を保持する複数の保持溝を有し、上記箱内の一方側と他方側とに互いの上記保持溝が対向するようにそれぞれ配置されて上記パネル部材を上記箱内において縦姿勢で保持する一対のパネル保持部材とを含み、上記各パネル保持部材が上記発明に係るパネル保持部材であるものである。
【発明の効果】
【０００９】
本発明のパネル保持部材及びパネル部材の梱包構造は、リサイクル資源として再利用され、開梱後のごみ廃棄量を抑えられる。
【図面の簡単な説明】
【００１０】
【図１】図１は、本発明の実施形態１に係るパネル部材の梱包構造の分解斜視図である。
【図２】図２は、本発明の実施形態１に係るパネル部材の梱包構造の分解斜視図である。
【図３】図３は、本発明の実施形態１に係るＡ型ブロックの分解斜視図である。
【図４】図４は、本発明の実施形態１に係るＡ型ブロックの斜視図である。
【００１１】
【図５】図５は、本発明の実施形態１に係るＡ型ブロックの支持ブロックの展開図である。
【図６Ａ】図６Ａは、本発明の実施形態１に係るＡ型ブロックの支持ブロックの組み立て手順を示す図である。
【図６Ｂ】図６Ｂは、本発明の実施形態１に係るＡ型ブロックの支持ブロックの組み立て手順を示す図である。
【図７】図７は、本発明の実施形態１に係るＡ型ブロックのカバー部材の展開図である。
【図８】図８は、本発明の実施形態１に係るＡ型ブロックのカバー部材の組み立て手順を示す図である。
【図９】図９は、本発明の実施形態１に係るＢ型ブロックの支持ブロックの展開図である。
【図１０】図１０は、本発明の実施形態１に係る梱包構造体の斜視図である。
【図１１】図１１は、本発明の実施形態１に係る梱包構造体の分解斜視図である。
【発明を実施するための形態】
【００１２】
以下、本発明の実施形態を図面に基づいて詳細に説明する。以下の実施形態は、本質的に好ましい例示に過ぎず、本発明、その適用物、あるいはその用途の範囲を制限することを意図するものではない。
【００１３】
《実施形態１》
−パネル部材の梱包構造の構成−
図１及び図２に示すように、本発明の実施形態１に係るパネル部材の梱包構造１０（以下、単に梱包構造１０という）は、パネル部材として太陽電池パネルＰを対象とし、１〜５枚の太陽電池パネルＰを梱包ケース（箱）２０内に梱包する。
【００１４】
なお、以下では、便宜上、図１に矢印で示すように、紙面の右手前から左奥へ延びる方向を前後方向（Ｚ方向ともいう）、紙面の左手前から右奥へ延びる方向を左右方向（Ｘ方向ともいう）、紙面の上下方向を上下方向（Ｙ方向ともいう）として説明する。
【００１５】
梱包構造１０は、梱包ケース２０と、該梱包ケース２０内に配置される２組の保持ブロック対３０とを備えている。梱包構造１０は、梱包ケース２０内において１〜５枚の太陽電池パネルＰを２組の保持ブロック対３０によって上下に（例えば長方形状の太陽電池パネルＰの両長手辺を）挟持することにより、１〜５枚の太陽電池パネルＰを梱包ケース２０内において縦姿勢に保持する。なお、縦姿勢とは、太陽電池パネルＰの種面（例えば受光面）を鉛直方向に近づけた姿勢をいう。
【００１６】
［梱包ケース］
梱包ケース２０は、直方体形状の段ボール箱によって構成されている。梱包ケース２０は、前後方向に対向する横長矩形状の前側壁２１及び後側壁２２と、左右方向に対向する縦長矩形状の左側壁２３及び右側壁２４と、上下方向に対向する横長矩形状の上側壁２５及び下側壁２６とを有している。
【００１７】
なお、前側壁２１及び後側壁２２において、横長の部分は、例えば長方形状の太陽電池パネルＰの長手に対応した長さを有し、この横長に対して直交方向となる部分の長さ（すなわち、前側壁２１及び後側壁２２の縦の長さ）は、例えば長方形状の太陽電池パネルＰの短手に対応した長さを有する。
【００１８】
また、左側壁２３及び右側壁２４において、縦長の部分は、例えば長方形状の太陽電池パネルＰの短手に対応した長さを有し、この縦長に対して直交方向となる部分の長さ（すなわち、左側壁２３及び右側壁２４の横の長さ）は、最大収載数の太陽電池パネルＰの総厚み分に対応した長さを有する。
【００１９】
前側壁２１及び後側壁２２には、左右方向に長い長孔２７が上部の同じ高さ位置に２つずつ形成されている。また、上側壁２５及び下側壁２６は、それぞれ前側壁２１、後側壁２２、左側壁２３及び右側壁２４に連続する４つの板状片によって開閉でき、かつ、梱包ケース２０の蓋になるように形成されている。図１及び図２では、上側壁２５は開放される一方、下側壁２６は閉塞され、粘着テープで固定されている（すなわち、梱包ケース２０内の一方側にあたる閉塞された下側壁２６は、梱包ケース２０の底面（底部）といえ、その底面に対向する、梱包ケース２０内の他方側の上側壁２５は、梱包ケース２０の天面（上部）といえる）。
【００２０】
なお、上側壁２５から下側壁２６に至る方向（上下方向）は、太陽電池パネルＰを梱包ケース２０に入れる方向になることから、挿入方向ともいえる。また、梱包ケース２０では、前側壁２１から後側壁２２に至る方向（前後方向）は、複数の太陽電池パネルＰを並べて収載し得る間隔を有するように設計されていることから、パネル配列方向ともいえる。また、左側壁２３から右側壁２４に至る方向（左右方向）は、挿入方向とパネル配列方向とに直交する方向であり、１枚の太陽電池パネルＰにおける短手または長手を受け入れる長さを有するように設計されていることから、パネル幅方向ともいえる。
【００２１】
なお、梱包ケース２０は、段ボールの他、ボール紙、板紙、ケント紙等の厚紙によって形成された箱であってもよい。
【００２２】
［保持ブロック対］
保持ブロック対３０は、２種類の保持ブロック（パネル保持部材）３０Ａ，３０Ｂによって構成されている。具体的には、保持ブロック対３０は、Ａ型ブロック３０ＡとＢ型ブロック３０Ｂとで構成されている。Ａ型ブロック３０ＡとＢ型ブロック３０Ｂとは、図１における左右方向に反転した形状に構成されている。
【００２３】
保持ブロック対３０は、梱包ケース２０内の左右の端部に１組ずつ配置されている。具体的には、梱包ケース２０内の左側（梱包ケース２０における左右方向の一方の側壁にあたる左側壁２３側）では、Ａ型ブロック３０Ａが梱包ケース２０内の一方側にあたる底部の角隅（左側壁２３と下側壁２６とで形成される角隅）に配置され、Ｂ型ブロック３０Ｂが梱包ケース２０内の他方側にあたる上部の角隅（左側壁２３と上側壁２５とで形成される角隅）に配置されている。一方、梱包ケース２０内の右側（梱包ケース２０における左右方向の他方の側壁にあたる右側壁２４側）では、Ａ型ブロック３０Ａが梱包ケース２０内の他方側にあたる上部の角隅（右側壁２４と上側壁２５とで形成される角隅）に配置され、Ｂ型ブロック３０Ｂが梱包ケース２０内の一方側にあたる底部の角隅（右側壁２４と下側壁２６とで形成される角隅）に配置されている。
【００２４】
〈Ａ型ブロック〉
Ａ型ブロック３０Ａは、図３及び図４に示すように、支持ブロック（支持部材）３１Ａとカバー部材３２とを備えている。支持ブロック３１Ａには、複数の（本実施形態では５本の）保持溝３３が形成されている。カバー部材３２は、複数の保持溝３３の内面を覆うように支持ブロック３１Ａに取り付けられている。支持ブロック３１Ａとカバー部材３２とは、いずれも厚紙を折り曲げることによって構成されている。なお、本実施形態では、支持ブロック３１Ａもカバー部材３２も段ボールを折り曲げることによって構成され、支持ブロック３１Ａには、カバー部材３２よりも分厚い段ボールが用いられている。
【００２５】
なお、支持ブロック３１Ａ及びカバー部材３２は、段ボールの他、ボール紙、板紙、ケント紙等の厚紙によって形成されていてもよい。
【００２６】
（支持ブロック）
支持ブロック３１Ａは、図５に示す細長い矩形状の厚紙を折り曲げることによって形成されている。なお、図５において、破線は谷折り線（折目）を示し、一点鎖線は山折り線（折目）を示す。また、以下では、矩形状の厚紙の全長方向（長手方向）における一方側にあたる、図５の紙面左側を始端側、全長方向の他方側にあたる紙面右側を終端側とするとともに、全長方向に交差（例えば直交）する交差方向（厚紙の短手方向）の一方側にあたる、図５の紙面上側を前側、交差方向の他方側にあたる紙面下側を後側とする。詳細な支持ブロック３１Ａの折り曲げ手順については後述するが、上記厚紙を、始端（図５における左端）から終端（図５における右端）に向かって折り畳むことによって支持ブロック３１Ａが形成される。
【００２７】
支持ブロック３１Ａは、蛇腹部３４と巻回部３５とを有している。蛇腹部３４は、上記厚紙を、前後方向に延びる山折り線と谷折り線とで折り曲げて蛇腹状に折り重ねることによって形成されている。巻回部３５は、上記蛇腹部３４に対する延長部分である上記厚紙の他部分によって形成され、該蛇腹部３４に巻き付けられて該蛇腹部３４を収縮状態に保持するように構成されている。以下、蛇腹部３４と巻回部３５の詳細な構成について順に説明する。
【００２８】
〔蛇腹部〕
蛇腹部３４には、山折り部３６と谷折り部３７とが交互に複数（本実施形態では５つずつ）形成されている。また、蛇腹部３４の各山折り部３６には、折目（山折り線）に交差する（例えば直交する）方向に延びる複数（本実施形態では５つ）のスリット３８が形成されている。各山折り部３６に設けられた５つのスリット３８は、折目に沿って前後方向に等間隔に並び、隣り合う山折り部３６の５つのスリット３８と折目方向において同じ位置に形成されている。各スリット３８は、矩形状の中央孔部と該中央孔部の両側に連続する先窄まりの台形状の端孔部とで構成されている。また、蛇腹部３４の始端部（図５における左端部）には、山折り部３６に形成されたスリット３８のうち終端側の台形状の端孔部からなる複数（本実施形態では５つ）のスリット３８が形成されている。
【００２９】
このように折目に交差する折り畳み方向（図５における左右方向、すなわち全長方向）に一列に並ぶ複数のスリット３８が、上記厚紙を折り重ねた際に重なり合うことにより、蛇腹部３４に上記保持溝３３が形成される。本実施形態では、各スリット３８の台形状の端孔部により、各保持溝３３は、溝上部から溝底部へ向かって徐々に溝幅が狭まるテーパ形状に形成されている。また、各保持溝３３は、溝底部における溝幅が、太陽電池パネルＰのパネル厚よりも大きくなるように形成されている。
【００３０】
また、本実施形態では、各山折り部３６において折目に沿って並ぶ各５つのスリット３８によって形成される５つの保持溝３３は、各５つのスリット３８と同様に、等間隔に形成される。
【００３１】
なお、ここで、図１及び図２では、図示を省略しているが、太陽電池パネルＰには、裏面に発泡材からなる補強断熱材と端子ボックスとが取り付けられている。そのため、太陽電池パネルＰを梱包ケース２０内に梱包する際には、該太陽電池パネルＰの後方に上述の付属部品を収容するスペースが必要となる。
【００３２】
そのため、本実施形態では、隣り合う保持溝３３間の間隔ｄ（前側の保持溝３３の後端と後側の保持溝３３の前端との距離）が、上記付属部品の奥行よりも大きくなるように５つの保持溝３３が形成されている。また、蛇腹部３４において最も前側の保持溝３３より前側の部分（前端部）の幅ｗ１は、最も後側の保持溝３３より後側の部分（後端部）の幅ｗ２よりも狭く形成されている。これは、本実施形態では、各太陽電池パネルＰの表面が、パネル配列方向における一方側である前方を向いた状態で梱包ケース２０内に梱包されるため、蛇腹部３４の前端部には上記付属部品を収容するスペースを確保する必要がないためである。なお、本実施形態では、蛇腹部３４の後端部の幅ｗ２は、隣り合う保持溝３３間の間隔ｄと長さが等しい。蛇腹部３４の後端部の幅ｗ２をこのような長さにすることにより、蛇腹部３４の後端部では、最も後側の保持溝３３に挿入される太陽電池パネルＰの付属部品を収容するスペースが確保される。
【００３３】
一方、蛇腹部３４の各谷折り部３７には、前後方向（厚紙の短手方向）の中央部分に、折目に沿って延びるスリット３９が形成されている。本実施形態では、各スリット３９は、折目方向に長い矩形状に形成されている。また、蛇腹部３４の終端部（図５における右端部）にも、折目に沿って延びるスリット３９が形成されている。蛇腹部３４の終端部のスリット３９は、蛇腹部３４の終端部にコ字状に切り目を二重に入れ、一部を切り取ることによって形成されている。
【００３４】
このように上記折り畳み方向に一列に並ぶ複数のスリット３９が、上記厚紙を折り重ねた際に重なり合うことにより、蛇腹部３４に、後述する巻回部３５の挿入片部４７が挿入される挿入孔４０（図６Ａ及び図６Ｂ参照）が形成される。なお、蛇腹部３４の終端部においてスリット３９を形成する際に、切り取られずに切り残された部分は、蛇腹部３４とこれに連続する巻回部３５との間で上記厚紙を折り曲げる（山折りする）際に、折れ曲がらずに巻回部３５の第１面部３５ａと同方向に延び、上述の巻回部３５の挿入片部４７を挿入孔４０に挿入する際におけるガイド部４１となる。
【００３５】
また、蛇腹部３４の上記折り畳み方向に並ぶ５つの谷折り部３７のうち、両端の２つの谷折り部３７を除く中程の３つの谷折り部３７には、折目方向の両端部に、折目に沿って延びるスリット４２が形成されている。このように上記折り畳み方向に一列に並ぶ３つのスリット４２が、上記厚紙を折り重ねた際に重なり合うことにより、支持ブロック３１Ａの前端部及び後端部のそれぞれに、後述するカバー部材３２の挿入片部５２が挿入される挿入孔４３（図３参照）が形成される。
【００３６】
〔巻回部〕
巻回部３５は、上述のように、上記蛇腹部３４に対する延長部分である上記厚紙の他部分によって形成され、前後方向に延びる４本の山折り線（折目）で折り曲げることにより、４つの面部３５ａ〜３５ｄが形成される。
【００３７】
第１面部３５ａは、蛇腹部３４の終端に連続し、該蛇腹部３４との間に形成された山折り線で上記厚紙の延長部分を折り曲げることにより、蛇腹部３４の複数の谷折り部３７の先端に沿って延びて該谷折り部３７側を覆う。
【００３８】
第２面部３５ｂは、第１面部３５ａの終端に連続し、該第１面部３５ａとの間に形成された山折り線で上記厚紙の延長部分を折り曲げることにより、蛇腹部３４の始端側の側面（図３における内側面）に沿って延びて該側面を覆う。
【００３９】
第３面部３５ｃは、第２面部３５ｂの終端に連続し、該第２面部３５ｂとの間に形成された山折り線で上記厚紙の延長部分を折り曲げることにより、蛇腹部３４の複数の山折り部３６の先端に沿って延びて該山折り部３６側を覆う。
【００４０】
第４面部３５ｄは、第３面部３５ｃの終端に連続し、該第３面部３５ｃとの間に形成された山折り線で上記厚紙の延長部分を折り曲げることにより、蛇腹部３４の終端側の側面（図３における外側面）に沿って延びて該側面を覆う。
【００４１】
なお、図５に示すように、第２面部３５ｂと第３面部３５ｃとには、互いの間に形成された山折り線（折目）に交差する方向に延びる複数（本実施形態では５つ）のスリット４４が形成されている。５つのスリット４４は、蛇腹部３４の各山折り部３６に形成された５つのスリット３８と同様に、折目に沿って前後方向に等間隔に並び、山折り部３６の５つのスリット３８と前後方向において同じ位置に形成されている。各スリット４４は、第２面部３５ｂと第３面部３５ｃとによって５つの保持溝３３が閉塞されないように、５つの保持溝３３に対応する位置に形成されている。各スリット４４は、第２面部３５ｂに形成された台形状の孔部と、第３面部３５ｃに形成された矩形状の孔部とによって構成されている。
【００４２】
このように、本実施形態では、上記スリット４４は、第２面部３５ｂと第３面部３５ｃとに亘って形成され、第４面部３５ｄには至っていない。そのため、５つの保持溝３３は、溝上部にあたる山折り部３６側と内側（折り畳み方向でもある保持溝３３の溝底部の延び方向の一方側；一端部）には開口するが、外側（保持溝３３の溝底部の延び方向の他方側；他端部）には開口せず、第４面部３５ｄによって閉塞されることとなる（図３参照）。詳細については後述するが、この第４面部３５ｄにおいて各保持溝３３の外端を閉塞する閉塞部分４６は、カバー部材３２が支持ブロック３１Ａに取り付けられる際に、該カバー部材３２の端縁が当接する当接部となる。
【００４３】
なお、スリット４４を形成する際に、上記厚紙の延長部分をスリット４４形状に全て切り取るのではなく、第３面部３５ｃの終端側の一部分を切り取らずに切り残されている。このようにして各スリット４４において切り取られずに切り残された部分は、第３面部３５ｃと第４面部３５ｄとの間で上記厚紙の延長部分を折り曲げる際に、折れ曲がらずに第４面部３５ｄと同方向に延び、上記閉塞部分４６に連続して各保持溝３３の溝上部からさらに溝上方（図３では上方）に延びる延長部分４５となる。各延長部分４５は、閉塞部分４６と同様に、カバー部材３２が支持ブロック３１Ａに取り付けられる際に、該カバー部材３２の端縁が当接する当接部となる。
【００４４】
また、第４面部３５ｄの終端には、上記蛇腹部３４の挿入孔４０に挿入される挿入片部４７が連続して形成されている。挿入片部４７は、第４面部３５ｄの終端の前後方向の中央部分に連続し、挿入孔４０に挿入可能な大きさの矩形状に形成されている。巻回部３５を４本の山折り線（折目）で折り曲げて収縮状態の蛇腹部３４に巻き付けた後で、挿入片部４７を挿入孔４０に挿入することにより、巻回部３５の形状が固定され、該巻回部３５によって蛇腹部３４が収縮状態に保持される。
【００４５】
なお、収縮状態とは、図３に示すように、蛇腹部３４を構成する上記厚紙が隙間なく折り重なった状態をいう。
【００４６】
また、第１面部３５ａ及び第３面部３５ｃの後端には、組み立て時に前後方向が判別できるように判別用の切欠き４８が形成されている。本実施形態では、切欠き４８は半円形状に形成されている。なお、切欠き４８の形状はいかなるものであってもよい。
【００４７】
さらに、第４面部３５ｄの終端部には、Ａ型ブロック３０Ａの支持ブロック３１Ａと、Ｂ型ブロック３０Ｂの支持ブロック３１Ｂとを判別するための切り抜き４９が形成されている。本実施形態では、Ａ型ブロック３０Ａの支持ブロック３１Ａの切欠き４９は、矩形状に形成されている。
【００４８】
以上のような構成により、支持ブロック３１Ａは、図６Ａ及び図６Ｂに示す手順で上記厚紙を始端側から終端側へ折り畳むことによって形成される。
【００４９】
具体的には、まず、図６Ａに示すように、上記厚紙を始端側から折目に沿って蛇腹状に折り畳み、蛇腹部３４を形成する。そして、図６Ｂに示すように、蛇腹部３４が伸長しないように押さえながら、巻回部３５を始端側から折目に沿って順に折り曲げて蛇腹部３４に巻き付けていく。巻回部３５を蛇腹部３４の全周に巻き付けた後、挿入片部４７を挿入孔４０に挿入することにより、巻回部３５が蛇腹部３４から離れないように固定する。その結果、巻回部３５の形状が固定され、該巻回部３５によって蛇腹部３４が収縮状態に保持されて支持ブロック３１Ａが完成する。
【００５０】
（カバー部材）
カバー部材３２は、図７に示す細長い矩形状の厚紙を折り曲げることによって形成されている。なお、図５と同様に、図７においても、破線は谷折り線（折目）を示し、一点鎖線は山折り線（折目）を示す。また、以下では、細長い矩形状の厚紙における全長方向の一方側である、図７の紙面左側を前側、全長方向の他方側である紙面右側を後側とする。
【００５１】
カバー部材３２は、本体部５１と２つの挿入片部５２とを有している。挿入片部５２は、本体部５１の前端及び後端のそれぞれに連続するように形成されている。
【００５２】
本体部５１は、上記厚紙を、前端から後端に向かって凹凸状に折り曲げることによって形成され、６つの凸部５３と５つの凹部５４とを有している。５つの凹部５４は、支持ブロック３１Ａの５つの保持溝３３の内面に沿う形状に形成されている。本実施形態では、各凹部５４は、テーパ形状の各保持溝３３の内面に沿うように小さいテーパ形状に形成されている。また、本体部５１は、図３に示すように、凹凸高さｈ（凹部５４の底面から凸部５３の頂面までの距離）が、保持溝３３の溝深さＨ（保持溝３３の底面から上面までの距離）よりも高くなるように形成されている。
【００５３】
本体部５１の両端部には、カバー部材３２の表面と裏面とを識別するためのマーク５６が形成されている。本実施形態では、マーク５６は、図７に示す表面に形成された「オモテ」と記すピンマークによって構成されている。なお、マーク５６は、ピンマークに限られず、印刷によって文字または図形を記してもよい。
【００５４】
また、本体部５１の最も外側の凸部５３の外側角部には、組み立て時に前後方向が判別できるように判別用の切欠き５５が形成されている。本実施形態では、切欠き５５は円形状に形成されている。なお、切欠き５５の形状はいかなるものであってもよい。
【００５５】
２つの挿入片部５２は、本体部５１の前端及び後端のそれぞれに連続し、矩形状に形成されている。２つの挿入片部５２は、支持ブロック３１Ａの前端部及び後端部のそれぞれに形成された挿入孔４３に挿入可能な大きさに形成されている。カバー部材３２の各凹部５４を、各保持溝３３の内面に沿うように該各保持溝３３内に嵌め込んだ後、２つの挿入片部５２を支持ブロック３１Ａの前端部及び後端部のそれぞれに形成された挿入孔４３に挿入することにより、カバー部材３２が支持ブロック３１Ａから脱落しないように支持ブロック３１Ａに固定される。
【００５６】
以上のような構成により、カバー部材３２は、図８に示すように、上記厚紙を前側から後側へ順に折目に沿って凹凸状に折り曲げることによって容易に形成される。
【００５７】
そして、このように厚紙を折り曲げて形成したカバー部材３２を、各凹部５４が各保持溝３３の内面に沿うように各凹部５４を各保持溝３３内に嵌め込む。なお、その際には、カバー部材３２の端縁が、各保持溝３３の外端を閉塞する閉塞部分４６と、該閉塞部分４６に連続して各保持溝３３の溝上方に延びる延長部分４５とに当接するように、カバー部材３２を設ける。そして、２つの挿入片部５２を支持ブロック３１Ａの前端部及び後端部のそれぞれに形成された挿入孔４３に挿入することにより、カバー部材３２が支持ブロック３１Ａに固定される。このようにして支持ブロック３１Ａにカバー部材３２を取り付けることによってＡ型ブロック３０Ａが完成する（図３及び図４参照）。
【００５８】
〈Ｂ型ブロック〉
Ｂ型ブロック３０Ｂは、図１に示すように、支持ブロック（支持部材）３１Ｂとカバー部材３２とを備えている。支持ブロック３１Ｂには、複数の（本実施形態では５本の）保持溝３３が形成されている。カバー部材３２は、Ａ型ブロック３０Ａのカバー部材３２と同様に構成され、支持ブロック３１Ｂの複数の保持溝３３の内面を覆うように支持ブロック３１Ｂに取り付けられている。支持ブロック３１Ｂは、Ａ型ブロック３０Ａの支持ブロック３１Ａと同様に、厚紙を折り曲げることによって構成されている。なお、本実施形態では、支持ブロック３１Ｂは、支持ブロック３１Ａと同様に、カバー部材３２よりも分厚い段ボールを折り曲げることによって構成されている。
【００５９】
（支持ブロック）
支持ブロック３１Ｂは、図９に示す細長い矩形状の厚紙を折り曲げることによって形成されている。なお、図９において、破線は谷折り線（折目）を示し、一点鎖線は山折り線（折目）を示す。また、以下では、矩形状の厚紙の全長方向（長手方向）における一方側にあたる、図９の紙面左側を始端側、全長方向の他方側にあたる紙面右側を終端側とするとともに、全長方向に交差（例えば直交）する交差方向（厚紙の短手方向）の一方側にあたる、図９の紙面下側を前側、交差方向の他方側にあたる紙面上側を後側とする。支持ブロック３１Ｂは、支持ブロック３１Ａと同様に、上記厚紙を、始端（図９における左端）から終端（図９における右端）に向かって折り畳むことによって形成される。
【００６０】
支持ブロック３１Ｂは、支持ブロック３１Ａを、支持ブロック３１Ａの保持溝３３の延伸方向（図５に示す支持ブロック３１Ａを構成する厚紙の折り畳み方向）に対して反転させた形状になっている。この反転の点が支持ブロック３１Ａと異なる他は、支持ブロック３１Ｂは、支持ブロック３１Ａとほぼ同様に構成されている。なお、支持ブロック３１Ｂでは、第４面部３５ｄの終端部に、Ａ型ブロック３０Ａの支持ブロック３１Ａと判別するための切り抜き５９が形成され、切欠き５９は、三角形状に形成されている。その他の構成については、支持ブロック３１Ａと反転形状な点を除けば同様であるため、詳細な説明を省略する。
【００６１】
（カバー部材）
カバー部材３２は、Ａ型ブロック３０Ａのカバー部材３２と同様に構成されている。そのため、詳細な説明を省略する。
【００６２】
そして、Ｂ型ブロック３０Ｂにおいても、厚紙を折り曲げて形成したカバー部材３２を、各凹部５４が各保持溝３３の内面に沿うように各凹部５４を各保持溝３３内に嵌め込み、２つの挿入片部５２を支持ブロック３１Ｂの前端部及び後端部のそれぞれに形成された挿入孔４３に挿入することにより、カバー部材３２が支持ブロック３１Ｂに固定される。このようにして支持ブロック３１Ｂにカバー部材３２を取り付けることによってＢ型ブロック３０Ｂが完成する。
【００６３】
−パネル部材の梱包作業及び開梱作業−
複数の太陽電池パネルＰを、梱包構造１０を用いて梱包する手順について説明する。図１に示すように、梱包ケース２０内の一方側にあたる底部の左角隅に、Ａ型ブロック３０Ａを保持溝３３を上側に向けつつ設置し、さらに、梱包ケース２０内の一方側にあたる底部の右角隅に、Ｂ型ブロック３０Ｂを保持溝３３を上側に向けつつ設置する。この状態において、開放された上側壁２５から、太陽電池パネルＰを縦姿勢で梱包ケース２０内に挿入し、その挿入方向の先側にある該太陽電池パネルＰの下側の端部（下端部）における各両端（パネル幅方向の両端）をＡ型ブロック３０Ａ及びＢ型ブロック３０Ｂの保持溝３３内に挿入する。このとき、太陽電池パネルＰは、表面が前方を向く姿勢で挿入する。
【００６４】
なお、図２では、５つの保持溝３３のすべてに太陽電池パネルＰを挿入し、５枚の太陽電池パネルＰを梱包ケース２０内に梱包しているが、梱包する太陽電池パネルＰと保持溝３３の数は必ずしも一致しない。１枚の太陽電池パネルＰを梱包してもよく、２〜４枚の太陽電池パネルＰを梱包してもよい。
【００６５】
本実施形態では、各支持ブロック３１Ａ，３１Ｂに形成される保持溝３３の数が奇数である。そのため、梱包する太陽電池パネルＰの枚数が奇数であっても偶数であっても梱包ケース２０内において太陽電池パネルＰをバランスよく配置することができる。
【００６６】
すなわち、奇数枚（本実施形態では、１，３枚）の太陽電池パネルＰを梱包する場合には、５つの保持溝３３のうちの真ん中の保持溝３３を使用することにより、奇数枚の太陽電池パネルＰを前後方向にバランスよく配置することができる。一方、偶数枚（本実施形態では、２，４枚）の太陽電池パネルＰを梱包する場合には、５つの保持溝３３のうちの真ん中の保持溝３３を使用せず、この保持溝３３に対し、偶数枚の太陽電池パネルＰを前後方向に対称に配置することにより、バランスよく配置することができる。
【００６７】
以上のようにして１〜５枚の太陽電池パネルＰを縦姿勢で梱包ケース２０内に挿入し、該太陽電池パネルＰの下側の端部（下端部）における各両端を、Ａ型ブロック３０Ａ及びＢ型ブロック３０Ｂの保持溝３３内に挿入して両ブロック３０Ａ，３０Ｂに保持させた後、梱包ケース２０内の他方側にあたる上部にＡ型ブロック３０ＡとＢ型ブロック３０Ｂとを設置する。具体的には、各保持溝３３が下側に開口する姿勢で、梱包ケース２０内の他方側にあたる上部の右角隅にＡ型ブロック３０Ａを設置し、左角隅にＢ型ブロック３０Ｂを設置する。このとき、先に梱包ケース２０内に挿入された１〜５枚の太陽電池パネルＰの上側の端部（上端部）における各両端（パネル幅方向の両端）が、Ａ型ブロック３０Ａ及びＢ型ブロック３０Ｂの保持溝３３内に嵌るようにＡ型ブロック３０Ａ及びＢ型ブロック３０Ｂを梱包ケース２０内の他方側にあたる上部（梱包ケース２０における挿入方向の先側とは逆側の手前側）に配置する。そして、梱包ケース２０の上側壁２５を閉塞することで、１〜５枚の太陽電池パネルＰが梱包ケース２０内に梱包されることとなる。
【００６８】
なお、開梱作業は、上記梱包作業の全く逆の手順によって行われる。つまり、まず、梱包ケース２０の上側壁２５を展開し、梱包ケース２０内の他方側にあたる上部の左右の角隅に配置されたＡ型ブロック３０Ａ及びＢ型ブロック３０Ｂを取り除く。このようなブロック除去作業のみにより、１〜５枚の太陽電池パネルＰが取り出し可能な状態となる。そして、全ての太陽電池パネルＰを取り出した後、梱包ケース２０内の一方側にあたる底部の左右の角隅に配置されたＡ型ブロック３０Ａ及びＢ型ブロック３０Ｂを取り除く。このような開梱作業により、梱包構造１０を容易に解体することができる。
【００６９】
−梱包構造体−
図１０及び図１１に示すように、梱包構造１０によって複数の太陽電池パネルＰが梱包された梱包ケース２０は、複数積み上げて一纏まりの梱包構造体１として出荷する。梱包構造体１は、パレット２と、複数の太陽電池パネルＰが梱包された梱包ケース２０と、４つのコーナー段ボール３と、カバーシート４とを備えている。以下、複数の梱包ケース２０を積み上げて梱包構造体１を形成する手順について説明する。
【００７０】
まず、パレット２上に、５つの梱包ケース２０を左右方向に平行に前後方向に隙間なく並べて１段目を形成する。次に、１段目の上に、５つの梱包ケース２０を左右方向に平行に前後方向に隙間なく並べて２段目を形成する。このとき、２段目は、１段目の梱包ケース２０の配列方向に交差する（例えば直交する）方向に５つの梱包ケース２０を配列する。
【００７１】
複数の梱包ケース２０を２段に積み上げた後、その４つのコーナーにＬ字状に折り曲げられた段ボールで形成されたコーナー段ボール３を装着し、カバーシート４で全体を覆う。カバーシート４は、予め袋状に形成されている。この袋状のカバーシート４を上方から被せることにより、２段に積層された複数の梱包ケース２０は、全体がカバーシート４によってすっぽりと覆われる。
【００７２】
以上のようにして形成された梱包構造体１は、フォークリフトでトラック等の搬送車両に積載され、施工現場に運搬される。運搬中、梱包構造体１には上下方向の振動が作用するが、梱包構造体１に含まれる全ての太陽電池パネルＰが梱包ケース２０内において縦姿勢で４つの保持ブロック（パネル保持部材）３０Ａ，３０Ｂによってしっかりと保持されているため、太陽電池パネルＰに傷が付くことなく施工現場に搬送することができる。
【００７３】
−実施形態１の効果−
以上のように、梱包部材としての保持ブロック（パネル保持部材）３０Ａ，３０Ｂは、梱包ケース（箱）２０内の一方側と他方側とにあたる底部と上部とに配置され、その梱包ケース２０内において太陽電池パネル（パネル部材）Ｐを縦姿勢で保持する。保持ブロック（パネル保持部材）３０Ａ，３０Ｂは、支持ブロック３１Ａ，３１Ｂを含み、それら支持ブロック３１Ａ，３１Ｂは、接着剤等を用いることなく一枚の厚紙を折り曲げることによって形成されるとともに、太陽電池パネルＰの端部を嵌め込む保持溝３３を有する。このように一枚の厚紙を折り曲げることによって形成された支持ブロック３１Ａ，３１Ｂは、容易に展開することができ、展開後は、リサイクル資源として再利用される。そのため、保持ブロック（パネル保持部材）３０Ａ，３０Ｂは、リサイクル資源として再利用可能で開梱後のごみ廃棄量を低減可能な梱包部材といえる。
【００７４】
また、各支持ブロック３１Ａ，３１Ｂの各保持溝３３の内面は、各保持溝３３の内面に沿う凹凸状に折り曲げられた厚紙によって形成されたカバー部材３２の凹部５４で覆ってもよい。このように各保持溝３３の内面がカバー部材３２を構成する厚紙の平坦面で覆われることにより、太陽電池パネルＰの端部に傷付きを抑えられる。
【００７５】
また、各支持ブロック３１Ａ，３１Ｂにおいて、太陽電池パネルＰの端部が嵌まり込む保持溝３３では、溝上部から溝底部へ向かって徐々に溝幅が狭まるテーパ形状であると好ましい。このようになっていると、太陽電池パネルＰの端部が保持溝３３へ容易に挿入される。よって、太陽電池パネルＰの梱包作業が容易に行える。
【００７６】
また、カバー部材３２の凹凸高さｈ（凹部５４の底面から凸部５３の頂面までの距離）が、保持溝３３の溝深さＨ（保持溝３３の底面から上面までの距離）よりも高くなると好ましい。また、保持溝３３の内面を覆うカバー部材３２の凹部５４は、保持溝３３がテーパ形状に形成されることにより、同様のテーパ形状に形成され、上端部の開口幅は、保持溝３３の溝幅よりも大きくなる。このようになっていると、太陽電池パネルＰの端部を保持溝３３へ挿入する際に、保持溝３３の溝幅より開口幅の大きいカバー部材３２の凹部５４に太陽電池パネルＰの端部を挿入すればよいため、太陽電池パネルＰの端部が保持溝３３へ容易に挿入される。よって、太陽電池パネルＰの梱包作業が容易に行える。また、このようにカバー部材３２の凹凸高さｈが高く形成されることにより、保持溝３３の溝深さＨが浅くても、太陽電池パネルＰの端部が保持溝３３へ容易に挿入されるため、支持ブロック３１Ａ，３１Ｂの小型化が図れる。支持ブロック３１Ａ，３１Ｂは厚紙を蛇腹状に折り重ねた蛇腹部３４を有するため、比較的大きな厚紙を用いる必要があるが、上述のように小型化することにより、使用する厚紙の量が低減する。
【００７７】
また、各支持ブロック３１Ａ，３１Ｂにおいて、複数の保持溝３３の外側端を、巻回部３５の閉塞部分４６によって閉塞し、カバー部材３２が支持ブロック３１Ａに取り付けられる際に、該カバー部材３２の端縁を閉塞部分４６に当接させると好ましい。このように、カバー部材３２の縁部が取付状態において支持ブロック３１Ａ，３１Ｂの保持溝３３の外側端を閉塞する閉塞部分４６に当接すると、カバー部材３２の凹部５４の保持溝３３からの抜けが抑制される。
【００７８】
また、各支持ブロック３１Ａ，３１Ｂの巻回部３５に、上記各閉塞部分４６に連続して各保持溝３３の溝上部から溝上方に延びる延長部分４５が設けられ、カバー部材３２が支持ブロック３１Ａに取り付けられる際に、該カバー部材３２の端縁が閉塞部分４６だけでなく延長部分４５に当接させられると好ましい。このように、カバー部材３２の縁部が取付状態において閉塞部分４６と延長部分４５とに当接すると、カバー部材３２の凹部５４の保持溝３３からの抜けがより抑制される。
【００７９】
また、各支持ブロック３１Ａ，３１Ｂに形成される保持溝３３の数が奇数であると好ましい。このような支持ブロック３１Ａ，３１Ｂを用いることにより、梱包する太陽電池パネルＰの枚数が奇数であっても偶数であっても梱包ケース２０内において太陽電池パネルＰがバランスよく配置される。
【００８０】
また、支持ブロック３１Ａ，３１Ｂ及びカバー部材３２を、梱包ケース２０と同様の段ボールで形成することとしていると好ましい。このように梱包部材の全てを単一の素材で構成することにより、開梱後のごみ処理が容易になる。また、全ての梱包部材がリサイクル資源として再利用される。
【００８１】
また、太陽電池パネルＰを縦姿勢で梱包ケース２０内に収容して梱包する梱包構造１０を、梱包ケース２０と、該梱包ケース２０内の上部と底部とに配置されて太陽電池パネルＰを縦姿勢で保持する２組の保持ブロック対３０とで構成し、保持ブロック対３０の各保持ブロック（パネル保持部材）３０Ａ，３０Ｂを上述のように構成することとした。そのため、リサイクル資源として再利用可能で開梱後のごみ廃棄量を低減可能なパネル部材の梱包構造１０となる。
【００８２】
また、梱包構造１０によれば、梱包ケース２０内の四隅に４つの保持ブロック３０Ａ，３０Ｂが配置されるだけで、複数の太陽電池パネルＰを縦姿勢で保持可能に構成されているため、梱包ケース２０の上側壁２５を開き、上部に配置された２つの保持ブロック３０Ａ，３０Ｂを取り除くだけで容易に太陽電池パネルＰを取り出してすぐに施工を行える。よって、このような梱包構造１０によれば、梱包作業が容易になると共に、梱包部材の部品点数が低減するため、梱包後のごみの廃棄量が低減する。
【００８３】
《その他の実施形態》
上記実施形態１では、保持ブロック対３０を、２種類の保持ブロック３０Ａ，３０Ｂによって構成していた。しかしながら、保持ブロック対３０は、１種類の保持ブロックによって構成しても構わない。具体的には、上記実施形態１では、各保持ブロック３０Ａ，３０Ｂの支持ブロック３１Ａ，３１Ｂを、蛇腹部３４の最も前側の保持溝３３より前側の部分（前端部）の幅ｗ１が、最も後側の保持溝３３より後側の部分（後端部）の幅ｗ２よりも狭くなるように構成していた（図３参照）。しかしながら、支持ブロック３１Ａ，３１Ｂのいずれかにおいて、蛇腹部３４の前端部の幅ｗ１と後端部の幅ｗ２とを等しくすることにより、１種類の保持ブロックによって構成しても構わない。このような構成によれば、保持ブロック（パネル保持部材）及び梱包構造１０の製造費用が低減する。
【符号の説明】
【００８４】
１０      梱包構造
２０      梱包ケース（箱）
３０Ａ    Ａ型ブロック（パネル保持部材）
３０Ｂ    Ｂ型ブロック（パネル保持部材）
３１Ａ    支持ブロック（支持部材）
３１Ｂ    支持ブロック（支持部材）
３２      カバー部材
３３      保持溝
３４      蛇腹部
３５      巻回部
３６      山折り部
３７      谷折り部
３８      スリット
４５      延長部分
４６      閉塞部分
５４      凹部
【図１】
2019112100.tif 000003
【図２】
2019112100.tif 000004
【図３】
2019112100.tif 000005
【図４】
2019112100.tif 000006
【図５】
2019112100.tif 000007
【図６Ａ】
2019112100.tif 000008
【図６Ｂ】
2019112100.tif 000009
【図７】
2019112100.tif 000010
【図８】
2019112100.tif 000011
【図９】
2019112100.tif 000012
【図１０】
2019112100.tif 000013
【図１１】
2019112100.tif 000014